(57)【特許請求の範囲】
【請求項１】
基体に変位可能に設けられた被操作体を変位させるためのスライド装置であって、
前記基体に所定の移動方向に摺動可能に設けられるとともに前記被操作体に係合し、摺動することによって前記被操作体を変位させる摺動部材と、
前記移動方向と同一方向に変位可能に前記摺動部材に設けられ、前記被操作体を変位させるための操作入力が入力される操作部材と、
前記基体に設けられ、前記移動方向と平行な方向に複数の凹所を備えたロックプレートと、
前記摺動部材の前記移動方向に直交する方向に変位可能に前記摺動部材に設けられ、前記凹所と係合可能な突起を備えたロック部材と、
前記摺動部材と前記ロック部材との間に設けられ、前記突起が前記凹所に係合する方向に前記ロック部材を付勢する付勢部材と、
前記操作部材の前記摺動部材に対する変位を前記ロック部材の変位に変換するべく前記操作部材と前記ロック部材との間に設けられたカム機構と
を有し、
前記操作部材に前記操作入力が入力されていない場合には、前記操作部材が、前記ロック部材および前記カム機構を介して前記付勢部材に付勢され、前記摺動部材に対して互いに相反する２つの方向に変位可能な前記摺動部材上の中立位置に位置するとともに、前記突起が前記凹所に係合して前記摺動部材の前記基体に対する摺動が規制され、
前記操作部材に前記操作入力が入力され、前記操作部材が前記摺動部材に対して前記中立位置から変位すると、前記カム機構が前記付勢部材の付勢力に抗して前記ロック部材を変位させ、前記突起が前記凹所から離脱して前記摺動部材の前記基体に対する摺動が可能になることを特徴とするスライド装置。
【請求項２】
請求項１に記載のスライド装置を備えた可動ルーバー窓の開閉装置であって、
前記基体は、窓枠であり、
前記被操作体は、前記窓枠に回動自在に設けられるとともにレバーが一体に結合されたスラットであり、
前記摺動部材は、前記レバーの端部に係合するフォーク部を備える
ことを特徴とする。
【発明の詳細な説明】
【０００１】
【０００２】
【発明の属する技術分野】
本発明は、スライド操作装置並びにそれを用いた可動ルーバー窓の開閉操作装置に関するものである。
【０００３】
【従来の技術】
人の進入は防止し得るが、換気のための隙間は開けられる窓として、多数のスラット（短冊形羽根板）を回動自在に窓枠に支持した可動ルーバー窓が知られている（実開昭６２−１９３８４号公報など参照）。
【０００４】
この形式の窓は、スラット側から力が加えられても開かないようにする必要があるので、例えばねじ機構やウォームギア機構などのような逆駆動が不能な開閉操作装置が用いられることが一般的である。
【０００５】
【発明が解決しようとする課題】
しかるに、上記従来の開閉操作装置は、回転運動を直線運動に変換するものであり、構成部品の加工精度や組み付け精度が低いと、がたを生ずるなど商品性を著しく阻害するので、製造コストが嵩みがちである。
【０００６】
レバー操作で全てのスラットを一括して回動させるように構成されたものも知られているが、開閉操作機構が単純で済む反面、ロック操作機構を別途設けねばならない上、開閉操作とロック操作とを別々に行わねばならないので、操作が煩雑になりがちである。
【０００７】
本発明は、このような従来技術の不都合な点を改善するべく案出されたものであり、その主な目的は、製造コストが比較的低廉で済み、しかも操作性に優れたスライド操作装置並びにそれを用いた可動ルーバー窓の開閉操作装置を提供することにある。
【０００８】
【課題を解決するための手段】
このような目的を果たすために、第１の発明は、基体（２）に変位可能に設けられた被操作体（３）を変位させるためのスライド装置であって、前記基体に所定の移動方向に摺動可能に設けられるとともに前記被操作体に係合し、摺動することによって前記被操作体を変位させる摺動部材（８）と、前記移動方向と同一方向に変位可能に前記摺動部材に設けられ、前記被操作体を変位させるための操作入力が入力される操作部材（９）と、前記基体に設けられ、前記移動方向と平行な方向に複数の凹所（１７）を備えたロックプレート（１１）と、前記摺動部材の前記移動方向に直交する方向に変位可能に前記摺動部材に設けられ、前記凹所と係合可能な突起（１６）を備えたロック部材（１０）と、前記摺動部材と前記ロック部材との間に設けられ、前記突起が前記凹所に係合する方向に前記ロック部材を付勢する付勢部材（１３）と、前記操作部材の前記摺動部材に対する変位を前記ロック部材の変位に変換するべく前記操作部材と前記ロック部材との間に設けられたカム機構（１９，２０）とを有し、前記操作部材に前記操作入力が入力されていない場合には、前記操作部材が、前記ロック部材および前記カム機構を介して前記付勢部材に付勢され、前記摺動部材に対して互いに相反する２つの方向に変位可能な前記摺動部材上の中立位置に位置するとともに、前記突起が前記凹所に係合して前記摺動部材の前記基体に対する摺動が規制され、前記操作部材に前記操作入力が入力され、前記操作部材が前記摺動部材に対して前記中立位置から変位すると、前記カム機構が前記付勢部材の付勢力に抗して前記ロック部材を変位させ、前記突起が前記凹所から離脱して前記摺動部材の前記基体に対する摺動が可能になることを特徴とするスライド装置である。また、第２の発明は、請求項１に記載のスライド装置を備えた可動ルーバー窓の開閉装置であって、前記基体は、窓枠（２）であり、前記被操作体は、前記窓枠に回動自在に設けられるとともにレバー（４）が一体に結合されたスラット（３）であり、前記摺動部材は、前記レバーの端部に係合するフォーク部（１２）を備えることを特徴とする。
【０００９】
【発明の実施の形態】
以下に添付の図面を参照して本発明について詳細に説明する。
【００１０】
図１は、本発明が適用された可動ルーバー窓を示している。この可動ルーバー窓１は、例えばアルミニウム合金の押出材で構成した窓枠２と、窓枠２の内側に回動自在に取り付けられた複数のスラット３とからなっている。そして各スラット３には、その回動中心から延出されたレバー４が一体的に設けられており、そのレバー４同士は、連動バー５で互いに連結されている。これにより、レバー４の一つを回動駆動すると全てのスラット３が同時に同一方向へ回動するようになっている。
【００１１】
レバー４の一つには、本発明によるスライド操作装置を適用した開閉操作装置６が連結されている。この開閉操作装置６は、窓枠２の垂直面に固定されており、図２〜図４に併せて示すように、窓枠２にボルト止めされる２つ割のケーシング７ａ・７ｂと、垂直方向移動が可能なようにケーシング７に摺合した摺動部材８と、摺動部材８の摺動方向と同一方向（垂直方向）に変位可能なように摺動部材８に結合した操作部材９と、摺動部材８の摺動方向に直交する方向（水平方向）に変位可能なように摺動部材８に結合したロック部材１０と、２つ割のケーシング７ａ・７ｂ間に挟持されたロックプレート１１とからなっており、摺動部材８に一体形成されたフォーク１２が一つのレバー４の遊端に連結されている。そして摺動部材８とロック部材１０との間には、ロック部材１０を常時突出方向へ（図における右方へ）弾発付勢するための圧縮コイルばね１３が装着されている（図３・４参照）。
【００１２】
操作部材９には、前ケーシング７ａの前面に設けられた上下に長い開口１４から突出するノブ１５が形成されており、このノブ１５に操作力を加えることにより、開口１４の範囲内で摺動部材８を上下に移動させることができるようにされている。
【００１３】
ロック部材１０の両側面には、断面形状が凸字状をなす突起１６が形成されている。この突起１６は、ノブ１５が突出する開口１４の両側部に沿って延在するロックプレート１１に形成された櫛歯状のノッチ１７に対して突入・離脱するようにされており、ノッチ１７に突起１６が突入すると（図５の実線参照）ロック部材１０と共に摺動部材８が移動し得なくなり、ノッチ１７から突起１６が離脱すると（図５の想像線参照）摺動部材８は移動可能となるようにされている。なお前ケーシング７ａの内面には、ノッチ１７に対する突起１６の係合代を確保するために、ノッチ１７のピッチと等しい間隔をおいて窪み１８が形成されている。
【００１４】
操作部材９とロック部材１０とは、線対称形に形成された片側が４５度をなす山形の斜面１９・２０同士で当接しており、これがカム機構の役割を果たし、コイルばね１３の弾発力によって突出方向にロック部材１０が付勢されているため、通常は摺動部材８上の中立位置に操作部材９が置かれている。この操作部材９を摺動部材８上で垂直方向に変位させると、斜面１９・２０同士の当接面に作用する分力により、ロック部材１０は押し退けられ、コイルばね１３の弾発力に抗して没入方向に（図における左方へ）変位させられる。そして操作部材９への入力を緩めると、コイルばね１３の弾発力による突出方向へのロック部材１０の変位に伴い、操作部材９は摺動部材８上の中立位置へと戻される。
【００１５】
次に本発明装置の作動要領について説明する。図１はスラット３が閉じた状態である。この状態では操作部材９は最上部に位置している。と同時に、ロック部材１０の突起１６がロックプレート１１のノッチ１７の一つに突入している。またロック部材１０と摺動部材８とが実質的に一体となっているので、ロック部材１０が変位し得なければ、摺動部材８も移動し得ない。従って、スラット３にこれを開こうとする力を直接加えても、摺動部材８と一体をなすフォーク１２に係合したレバー４が回動し得ないので、スラット３を開くことはできない。
【００１６】
図１における下向きに操作部材９を変位させると、斜面１９・２０のカム作用でロック部材１０が操作部材９の変位方向に直交する向き、つまり図１における左方へと変位する。これにより、ロックプレート１１のノッチ１７からロック部材１０の突起１６が離脱する（図５の想像線参照）ので、摺動部材８は下向きに移動可能となり、摺動部材８と一体のフォーク１２が下向き移動する。これに伴われてフォーク１２に係合したレバー４が下向きに回動し、レバー４と一体をなすスラット３が開かれる。
【００１７】
ロック部材１０は常時突出方向、つまりノッチ１７に突起１６が入り込む向きに弾発付勢されているので、突起１６はノッチ１７に整合する度にノッチ１７と係合する。これは操作者にクリック感として感じられる。
【００１８】
所望の位置で操作部材９を止めれば、ロック部材１０の突起１６がロックプレート１１のノッチ１７に噛み合ってその位置が保持されるため（図５の実線参照）、全閉時と同様に、中間位置でもスラット３の位置が保持され、かつスラット３に直接力を加えても、スラット３の開度を変えることはできなくなる。
【００１９】
【発明の効果】
このように本発明によれば、スライド操作とロック操作とが一体となっているので、操作部材を動かし続ければその動作が連続して行われ、操作を止めた時点でロック操作が自動的に行われるので、操作が極めて簡単である。これを可動ルーバー窓に用いれば、スライド操作によってスラットに開閉動作を与えることができるので、窓枠からの突出寸法を極めて少なくでき、しかも構造が単純なので製造コストが低廉で済む。
【図面の簡単な説明】
【図１】本発明が適用されたルーバー窓とその開閉操作装置の要部縦断面図
【図２】一部切除して示す開閉操作装置の正面図
【図３】図２におけるIII−III線に沿う縦断面図
【図４】図２におけるIV−IV線に沿う横断面図
【図５】ロック機構の作動説明図
【符号の説明】
１  可動ルーバー窓
２  窓枠
３  スラット
６  開閉操作装置
８  摺動部材
９  操作部材
１０  ロック部材
１１  ロックプレート
１２  フォーク
１９・２０  カム機構としての斜面
【図１】
0004510137.tif 000002
【図２】
0004510137.tif 000003
【図３】
0004510137.tif 000004
【図４】
0004510137.tif 000005
【図５】
0004510137.tif 000006